(57)【特許請求の範囲】
【請求項１】
使用時に互いに対向して立てられ、収納時に互いに重ね合わせられる第１及び第２の支持部材と、
前記第１の支持部材に第１の軸で回転可能に支持される外側端部と、内側端部とを含む第１の棚板と、
前記第２の支持部材に第２の軸で回転可能に支持される外側端部と、前記第１の棚板の前記内側端部と回転可能に連結される内側端部とを含む第２の棚板と、
収納時に前記第１の棚板に当たるように前記第１の軸周りに設けられる第１の回転規制部材と、
収納時に前記第２の棚板に当たるように前記第２の軸周りに設けられる第２の回転規制部材とを備え、
前記第１の支持部材は、
互いに離間して設けられる第１及び第２の支柱と、
前記第１及び第２の支柱の間に架け渡される第１の連結部材とを含み、
前記第２の支持部材は、
互いに離間して設けられる第３及び第４の支柱と、
前記第３及び第４の支柱の間に架け渡される第２の連結部材とを含み、
前記第１及び第２の棚板の前記外側端部は、概略コの字状の断面を有し、
前記第１の回転規制部材は、前記第１の連結部材に設けられ、前記第１の軸よりも下方かつ内側に設けられ、使用時に前記第１の棚板の内部に位置し、
前記第２の回転規制部材は、前記第２の連結部材に設けられ、前記第２の軸よりも下方かつ内側に設けられ、使用時に前記第２の棚板の内部に位置する、折り畳み式棚。
【請求項２】
請求項１に記載の折り畳み式棚であって、
前記第１の連結部材は、前記第１の棚板の前記外側端部を覆うように形成され、
前記第２の連結部材は、前記第２の棚板の前記外側端部を覆うように形成される、折り畳み式棚。
【請求項３】
請求項１又は２に記載の折り畳み式棚であってさらに、
前記第１の支持部材の上部と前記第２の支持部材の下部との間に架け渡される第１の紐状の筋交いと、
前記第２の支持部材の上部と前記第１の支持部材の下部との間に架け渡される第２の紐状の筋交いとを備える、折り畳み式棚。
【請求項４】
請求項３に記載の折り畳み式棚であって、
前記第１及び第２の紐状の筋交いは、ワイヤロープからなり、使用時に真っ直ぐに伸び、収納時にコイル状に縮む伸縮部を含む、折り畳み式棚。
【発明の詳細な説明】
【技術分野】
【０００１】
本発明は、折り畳み式棚に関し、さらに詳しくは、棚板を折り畳んで収納することができる折り畳み式棚に関する。
【背景技術】
【０００２】
棚は一般に、物品を保管したり、商品を陳列したりするために、長期間同じ場所に設置される場合が多い。しかし、展示会場やイベント会場等で用いられる棚は、短期間しか設置されない。したがって、このような用途には、組立・解体作業に長時間を要しない折り畳み式棚が好ましい。
【０００３】
実用新案登録第３１５３０１３号公報（特許文献１）には、中央支柱を持ち上げることにより、棚板を折り畳んで収納することができる折り畳み式棚が記載されている。
【０００４】
しかしながら、この折り畳み式棚は、四隅の支柱以外に、中央支柱を備えているため、重く、持ち運びにくい。中央支柱を取り除けば、軽量化は可能であるが、収納時に折り畳まれた棚板が前後に揺動してしまうという新たな問題が生じる。
【先行技術文献】
【特許文献】
【０００５】
【特許文献１】実用新案登録第３１５３０１３号公報
【発明の概要】
【発明が解決しようとする課題】
【０００６】
本発明の目的は、収納時に折り畳まれた棚板が遥動するのを抑えることができる折り畳み式棚を提供することである。
【課題を解決するための手段】
【０００７】
本発明による折り畳み式棚は、第１及び第２の支持部材と、第１及び第２の棚板と、第１及び第２の回転規制部材とを備える。第１及び第２の支持部材は、使用時に互いに対向して立てられ、収納時に互いに重ね合わせられる。第１の棚板は、第１の支持部材に第１の軸で回転可能に支持される外側端部と、内側端部とを含む。第２の棚板は、第２の支持部材に第２の軸で回転可能に支持される外側端部と、第１の棚板の内側端部と回転可能に連結される内側端部とを含む。第１の回転規制部材は、収納時に第１の棚板に当たるように第１の軸周りに設けられる。第２の回転規制部材は、収納時に第２の棚板に当たるように第２の軸周りに設けられる。第１の支持部材は、第１及び第２の支柱と、第１の連結部材とを含む。第１及び第２の支柱は、互いに離間して設けられる。第１の連結部材は、第１及び第２の支柱の間に架け渡される。第２の支持部材は、第３及び第４の支柱と、第２の連結部材とを含む。第３及び第４の支柱は、互いに離間して設けられる。第２の連結部材は、第３及び第４の支柱の間に架け渡される。第１及び第２の棚板の外側端部は、概略コの字状の断面を有する。第１の回転規制部材は、第１の連結部材に設けられ、第１の軸よりも下方かつ内側に設けられ、使用時に第１の棚板の内部に位置する。第２の回転規制部材は、第２の連結部材に設けられ、第２の軸よりも下方かつ内側に設けられ、使用時に第２の棚板の内部に位置する。
【発明の効果】
【０００８】
本発明は、第１の回転規制部材が収納時に第１の棚板に当たり、第２の回転規制部材が収納時に第２の棚板に当たるため、収納時に折り畳まれた棚板が遥動するのを抑えることができる。また、第１及び第２の棚板の外側端部は、概略コの字状の断面を有し、かつ、第１及び第２の回転規制部材は、第１及び第２の連結部材に設けられ、第１及び第２の軸よりも下方かつ内側に設けられ、使用時に第１及び第２の棚板の内部に位置する。このため、第１及び第２の回転規制部材は、物を収納するときに邪魔にならない。
【図面の簡単な説明】
【０００９】
【図１】本発明の好ましい実施の形態による折り畳み式棚の全体構成を示す斜視図である。
【図２】図１に示した折り畳み式棚の連結部材の斜視図である。
【図３】図１中のＩＩＩ−ＩＩＩ線での断面図である。
【図４】図１に示した折り畳み式棚の上棚板のみを折り畳んだ状態を示す斜視図である。
【図５】図４中のＶ―Ｖ線での断面図である。
【図６】図４に示した折り畳み式棚の筋交いの拡大図である。
【図７】図４に示した状態に続き、折り畳み式棚の下棚板も折り畳んだ状態を示す斜視図である。
【図８】図７に示した折り畳み式棚の筋交いの拡大図である。
【図９】他の実施の形態による折り畳み式棚の全体構成を示す斜視図である。
【図１０】図９中のＸ−Ｘ線での断面図である。
【図１１】図１０中の上棚板を折り畳んだ状態を示す断面図である。
【発明を実施するための形態】
【００１０】
以下、図面を参照し、本発明の実施の形態を詳しく説明する。図中同一又は相当部分には同一符号を付してその説明は繰り返さない。
【００１１】
［好ましい実施の形態］
図１を参照して、本発明の好ましい実施の形態による折り畳み式棚１は、前面支持部材２０と、後面支持部材３０と、上棚板１１と、下棚板１２と、中棚板１３と、紐状の筋交い４０Ａ，４０Ｂとを備える。
【００１２】
前面支持部材２０は、２本の支柱２１と、２本の連結部材２２とを含む。両支柱２１は、互いに離間して設けられ、折り畳み式棚１の前面両角に立てられる。連結部材２２は、両支柱２１の間に架け渡され、両支柱２１に固着される。後面支持部材３０は、２本の支柱３１と、２本の連結部材３２とを含む。両支柱３１は、互いに離間して設けられ、折り畳み式棚１の後面両角に立てられる。連結部材３２は、両支柱３１の間に架け渡され、両支柱３１に固着される。前面支持部材２０及び後面支持部材３０は、使用時に互いに対向して立てられる。
【００１３】
上棚板１１は、前部上棚板１１Ａと、後部上棚板１１Ｂとを含む。前部上棚板１１Ａは、外側端部１１ＡＡと、内側端部１１ＡＢとを含む。前部上棚板１１Ａの外側端部１１ＡＡは、支柱２１に軸Ａ３で回転可能に支持される。すなわち、前部上棚板１１Ａは、支柱２１にボルト２１Ａで連結される。後部上棚板１１Ｂは、外側端部１１ＢＡと、内側端部１１ＢＢとを含む。後部上棚板１１Ｂの外側端部１１ＢＡは、支柱３１に軸Ａ５で回転可能に支持される。すなわち、後部上棚板１１Ｂは、支柱３１にボルト３１Ａで連結される。
【００１４】
前部上棚板１１Ａの内側端部１１ＡＢは、後部上棚板１１Ｂの内側端部１１ＢＢと軸Ａ１で回転可能に連結される。すなわち、前部上棚板１１Ａ及び後部上棚板１１Ｂは、各内側面で突き合わされ、ボルト１１Ｃで連結される。したがって、上棚板１１の中央（前部上棚板１１Ａ及び後部上棚板１１Ｂの接合箇所）を持ち上げると、前部上棚板１１Ａは軸Ａ３周りに回転し、後部上棚板１１Ｂは軸Ａ５周りに回転する。これにより、上棚板１１を軸Ａ１で逆Ｖ字状に折り曲げることができる。しかし、上棚板１１の中央を押し下げようとしても、前部上棚板１１Ａの内側面と後部上棚板１１Ｂの内側面とが当たり合っているので、上棚板１１をＶ字状に折り曲げることはできない。
【００１５】
下棚板１２も上棚板１１と同様に構成される。すなわち、下棚板１２は、前部下棚板１２Ａと、後部下棚板１２Ｂとを含む。前部下棚板１２Ａは、支柱２１に軸Ａ４（ボルト２１Ｂ）で回転可能に支持される。後部下棚板１２Ｂは、支柱３１に軸Ａ６（ボルト３１Ｂ）で回転可能に支持される。前部下棚板１２Ａ及び後部下棚板１２Ｂは、各内側面で突き合わされ、軸Ａ２（ボルト１２Ｃ）で回転可能に連結される。
【００１６】
中棚板１３は、１枚の棚板で構成される。両支柱２１の向かい合う側面には、複数の棚孔２１Ｃがそれぞれ形成される。同様に、両支柱３１の向かい合う側面にも、複数の棚孔３１Ｃがそれぞれ形成される。棚孔２１Ｃ，３１Ｃには、必要に応じて棚ステー（図示せず）が挿入される。１枚の中棚板１３は、４つの棚ステーにより支持される。図１に示した例では、１枚の中棚板１３のみが設けられているが、２枚以上の中棚板１３が設けられてもよい。また、中棚板１３は設けられなくてもよい。この場合、折り畳み式棚１は、パイプ５０にハンガーを掛け、そのハンガーに衣類を掛けることができる。パイプ５０は、上棚板１１の中央に吊り下げられる。
【００１７】
紐状の筋交い４０Ａ，４０Ｂは、ワイヤロープからなり、折り畳み式棚１の左右両側に２本ずつ交差するように設けられる。具体的には、筋交い４０Ａは、支柱２１の上部と支柱３１の下部との間に架け渡される。筋交い４０Ｂは、支柱３１の上部と支柱２１の下部との間に架け渡される。筋交い４０Ａ，４０Ｂの各端部は、ループ状に形成され、ボルト２１Ａ，２１Ｂ，３１Ａ，３１Ｂに引っ掛けられる。筋交い４０Ａ，４０Ｂは、使用時に弛みなく真っ直ぐに伸び、固有の最大長さになる。筋交い４０Ａ，４０Ｂは、収納時にコイル状に縮む伸縮部４１（図８）を含む。このような機能を有する筋交い４０Ａ，４０Ｂには、日興製鋼株式会社（大阪府岸和田市）製のワイヤロープを用いることができる（特開平９−１９３２０号公報及び実用新案登録第３０３０８５６号公報参照）。このワイヤロープは、弛みなく真っ直ぐに伸ばされても、あらかじめ決められた元の形状に復帰するという性質を有する。
【００１８】
図２を参照して、支柱３１は、軸孔３１Ａ−１を有する。軸孔３１Ａ−１には、ボルト３１Ａが挿入される。
【００１９】
連結部材３２は、上面部３２１と、側面部３２２と、底面部３２３とを含み、後部上棚板１１Ｂの外側端部１１ＢＡを覆うように形成される。底面部３２３の端には、回転規制部材３２４が設けられる。回転規制部材３２４は、折り畳み式棚１の収納時に後部上棚板１１Ｂと当たるように軸Ａ５周りに設けられる。連結部材３２の上面部３２１、側面部３２２及び底面部３２３並びに回転規制部材３２４は、１枚の金属板をほぼ垂直に折り曲げることにより一体的に形成される。連結部材３２はこのように袋状に形成されている。
【００２０】
連結部材３２の上面部３２１及び支柱３１の上面は、ほぼ同一平面を形成する。回転規制部材３２４は、両支柱３１から離間して設けられる。
【００２１】
連結部材２２は、上述した連結部材３２と同じ構成を有する。
【００２２】
図３を参照して、後部上棚板１１Ｂは、中空構造を有する。具体的には、後部上棚板１１Ｂは、１枚の金属板をほぼ垂直に折り曲げることにより形成され、後部上棚板１１Ｂの外側端部１１ＢＡは、概略コの字状の断面を有する。回転規制部材３２４は、軸Ａ５よりも下方かつ内側に設けられ、折り畳み式棚１の使用時に後部上棚板１１Ｂの内部に位置する。回転規制部材３２４は、後部上棚板１１Ｂを軸Ａ５周りに回転させたときに後部上棚板１１Ｂの一端が通る軌跡５００内に設けられる。
【００２３】
折り畳み式棚１の使用時に、連結部材３２の上面部３２１及び後部上棚板１１Ｂの上面は、ほぼ同一平面を形成する。
【００２４】
前部上棚板１１Ａ、前部下棚板１２Ａ、後部下棚板１２Ｂは、上述した後部上棚板１１Ｂとほぼ同じ構成を有する。
【００２５】
次に、折り畳み式棚１の収納方法を説明する。
【００２６】
まず、図１に示した折り畳み式棚１から中棚板１３が取り外され、続いて、棚ステーが棚孔２１Ｃ，３１Ｃから取り外される。
【００２７】
次に、上棚板１１の中央（前部上棚板１１Ａ及び後部上棚板１１Ｂの接合箇所）を持ち上げると、図４に示されるように、前部上棚板１１Ａは軸Ａ３周りに回転し、後部上棚板１１Ｂは軸Ａ５周りに回転し、上棚板１１は軸Ａ１で二つ折りにされる。
【００２８】
このとき、図５に示されるように、後部上棚板１１Ｂの裏面１１Ｂ−１が回転規制部材３２４に当たる。したがって、後部上棚板１１Ｂは９０度以上回転することができない。前部上棚板１１Ａ及び連結部材２２は後部上棚板１１Ｂ及び連結部材３２と同じ構成を有するので、前部上棚板１１Ａも９０度以上回転することができない。その結果、折り畳まれた上棚板１１は前後に遥動しない。
【００２９】
また、このとき、筋交い４０Ａ，４０Ｂは縮む。筋交い４０Ａ，４０Ｂは、図４及び図６に示されるように、折り畳み式棚１の収納時にコイル状に縮む伸縮部４１を含む。
【００３０】
最後に、下棚板１２の中央（前部下棚板１２Ａ及び後部下棚板１２Ｂの接合箇所）を持ち上げると、図７に示されるように、前部下棚板１２Ａは軸Ａ４周りに回転し、後部下棚板１２Ｂは軸Ａ６周りに回転し、下棚板１２は軸Ａ２で二つ折りにされる。下棚板１２は上棚板１１と同じ構成を有するので、折り畳まれた下棚板１も前後に遥動しない。
【００３１】
このとき、筋交い４０Ａ，４０Ｂは、図８に示されるように、図６に示した状態よりもさらに縮む。したがって、筋交い４０Ａ，４０Ｂは弛むことなく、自動的に収納される。
【００３２】
以上のように、本発明の好ましい実施の形態による折り畳み式棚１は、収納時に前部上棚板１１Ａに当たるように軸Ａ３周りに設けられる回転規制部材と、収納時に後部上棚板１１Ｂに当たるように軸Ａ５周りに設けられる回転規制部材３２４とを備えているため、収納時に折り畳まれた上棚板１１は前後に遥動しない。同様に、収納時に折り畳まれた下棚板１２も前後に遥動しない。
【００３３】
また、連結部材２２，３２は、前部上棚板１１Ａ、後部上棚板１１Ｂ、前部下棚板１２Ａ、後部下棚板１２Ｂの外側端部１１ＡＡ，１１ＢＡを覆うように形成されているため、可動部分が外側に露出せず、使いやすい。
【００３４】
また、後部上棚板１１Ｂの外側端部１１ＢＡは、概略コの字状の断面を有し、かつ、回転規制部材３２４は、連結部材３２に設けられ、軸Ａ５よりも下方かつ内側に設けられ、使用時に後部上棚板１１Ｂの内部に位置しているため、折り畳み式棚１に物を収納するときに邪魔にならない。他の回転規制部材も同様である。
【００３５】
また、筋交い４０Ａ，４０Ｂは、紐状で、折り畳み式棚１の左右両側に２本ずつ交差するように設けられているため、折り畳み式棚１は安定して立つことができる。さらに、筋交い４０Ａ，４０Ｂは、ワイヤロープからなり、使用時に真っ直ぐに伸び、収納時にコイル状に縮む伸縮部４１を含んでいるため、折り畳み式棚１の収納時に筋交い４０Ａ，４０Ｂが弛むことなく、自動的に収納される。
【００３６】
また、棚ステーを取り付けるための棚孔２１Ｃ，３１Ｃが支柱２１，３１に形成されているため、中棚板１３を自在に設けることができる。
【００３７】
また、上棚板１１の中央からパイプ５０が吊り下げられているため、ハンガーで衣類を掛けることができる。
【００３８】
また、実用新案登録第３１５３０１３号公報に記載された折り畳み式棚と異なり、折り畳み式棚１は中央支柱を備えておらず、筋交い４０Ａ，４０Ｂは紐状で、中棚板１３は取り外し可能であるため、折り畳み式棚１は軽量で、持ち運びやすい。
【００３９】
［他の実施の形態］
薄い板を折り曲げて形成した上棚板１１及び下棚板１２の代わりに、厚い板をそのまま用いた上棚板１１１及び下棚板１２１を設け、かつ、袋状の連結部材２２，３２の代わりに、図９に示されるように、板状の連結部材２２５，３２５を設けてもよい。連結部材２２５，３２５は回転規制部材としても機能する。連結部材（回転規制部材）２２５は、折り畳み式棚１Ａの収納時に前部上棚板１１１Ａ又は前部下棚板１２１Ａに当たるように軸Ａ３又はＡ４周りに設けられる。連結部材（回転規制部材）３２５は、折り畳み式棚１Ａの収納時に後部上棚板１１１Ｂ又は後部下棚板１２１Ｂに当たるように軸Ａ５又はＡ６周りに設けられる。
【００４０】
後部上棚板１１１Ｂは、折り畳み式棚１Ａの使用時に、図１０に示されるように、水平に横たわっているが、折り畳み式棚１Ａの収納時に、図１１に示されるように、軸Ａ５周りに９０度回転し、後部上棚板１１１Ｂの裏面１１１Ｂ−１が連結部材（回転規制部材）３２５に当たる。連結部材（回転規制部材）３２５は、後部上棚板１１１Ｂを回転させたときに後部上棚板１１１Ｂの一端が通る軌跡５００Ａ内に設けられる。
【００４１】
上記実施の形態では、上棚板１１及び下棚板１２の両方が折り畳み可能になっているが、少なくとも一方が折り畳み可能になっていてもよい。また、中棚板１３が折り畳み可能になっていてもよい。
【００４２】
また、筋交い４０Ａ，４０Ｂを左右一方のみに設けてもよい。この場合、筋交い４０Ａ，４０Ｂを無くした面を折り畳み式棚１の前面として用いてもよい。また、筋交い４０Ａ，４０Ｂをボルト２１Ａ,２１Ｂ，３１Ａ,３１Ｂに引っかける代わりに、支柱２１，３１に溶接してもよい。また、筋交い４０Ａ，４０Ｂを紐状のワイヤロープで構成する代わりに、棒状の金属板で構成してもよい。また、筋交い４０Ａ，４０Ｂを左右１本ずつ設け、それらが互いに交差するようにしてもよい。
【００４３】
また、回転規制部材を連結部材２２，３２の上に設け、収納時に上棚板１１又は下棚板１２の表面が回転規制部材に当たるようにしてもよい。
【００４４】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００４５】
１，１Ａ  折り畳み式棚
２１，３１  支柱
２２，３２  連結部材
１１，１１１  上棚
１１Ａ，１１１Ａ  前部上棚板
１１Ｂ，１１１Ｂ  後部上棚板
１２，１２１  下棚
１２Ａ，１２１Ａ  前部下棚板
１２Ｂ，１２１Ｂ  後部下棚板
Ａ１〜Ａ６  軸
３２４  回転規制部材
４０Ａ，４０Ｂ  紐状の筋交い
【図１】
0005755866.tif 000002
【図２】
0005755866.tif 000003
【図３】
0005755866.tif 000004
【図４】
0005755866.tif 000005
【図５】
0005755866.tif 000006
【図６】
0005755866.tif 000007
【図７】
0005755866.tif 000008
【図８】
0005755866.tif 000009
【図９】
0005755866.tif 000010
【図１０】
0005755866.tif 000011
【図１１】
0005755866.tif 000012